【手続補正書】
【提出日】平成25年1月25日(2013.1.25)
【手続補正１】
【補正対象書類名】特許請求の範囲
【補正対象項目名】全文
【補正方法】変更
【補正の内容】
【特許請求の範囲】
【請求項１】
吸収性物品が装着された際に、装着者の身体に面する内側表面およびその内側表面に対向する外側表面を有する吸収性物品であって、
液体浸透性表面シートと、
少なくとも一部分は液体不浸透性である、裏面シートと、
第１の側部前面パネルおよび第２の側部前面パネルを備える前面ウェスト部と、
第１の側部裏面パネルおよび第２の側部裏面パネルを備える裏面ウェスト部と、
前記前面ウェスト部と前記裏面ウェスト部との間に長手方向に延びて存在する股部と、
前記液体浸透性表面シートと前記裏面シートとの間に配設される吸収性アセンブリと、
前記第１の側部前面パネルに配設される第１の締結コンポーネントおよび前記第２の側部前面パネルに配設される第２の締結コンポーネントと、を備え、
前記第１の締結コンポーネントおよび前記第２の締結コンポーネントはそれぞれ、前記第１の側部裏面パネルおよび前記第２の側部裏面パネルにそれぞれ貼着されて前記装着者のウェストの周りに当該吸収性物品を締結し、前記第１の締結コンポーネントおよび前記第２の締結コンポーネントはそれぞれ、少なくとも１つの有効締結部および少なくとも１つの非有効締結部を有する、
吸収性物品。
【請求項２】
前記第１および第２の締結コンポーネントはフック要素を備える、請求項１に記載の吸収性物品。
【請求項３】
前記少なくとも１つの有効締結部は、前記フック要素によって形成される、請求項２に記載の吸収性物品。
【請求項４】
前記少なくとも１つの非有効締結部は、前記第１および第２の側部裏面パネルの対応する１つに貼着されることができない変更型フック要素によって形成される、請求項２に記載の吸収性物品。
【請求項５】
前記少なくとも１つの非有効締結部が前記フック要素を備えない、請求項２に記載の吸収性物品。
【請求項６】
前記少なくとも１つの非有効締結部は、前記フック要素の所定部分が前記第１および第２の側部裏面パネルの対応する１つに貼着されることを防止するために、前記フック要素の前記所定部分を覆う締結コンポーネント外側層を備える請求項２に記載の吸収性物品。
【請求項７】
前記第１および第２の締結コンポーネントは当該吸収性物品の前記内側表面上に配設される、請求項１に記載の吸収性物品。
【請求項８】
前記第１および第２の締結コンポーネントは当該吸収性物品の前記外側表面上に配設される、請求項１に記載の吸収性物品。
【請求項９】
前記第１および第２の締結コンポーネントは、前記第１の側部裏面パネルおよび前記第２の側部裏面パネルに直接貼着される、請求項１に記載の吸収性物品。
【請求項１０】
前記第１および第２の締結コンポーネントは、ループレス締結システムを構成する、請求項１に記載の吸収性物品。
【請求項１１】
前記液体浸透性表面シートは、不織布材料から作られる、請求項１に記載の吸収性物品。
【請求項１２】
前記裏面シートは、内側フィルム層および外側不織布層で構成される、請求項１に記載の吸収性物品。
【請求項１３】
前記裏面シートの前記外側不織布層は、前記液体浸透性表面シートおよび前記吸収性アセンブリを超えて横方向に延びて存在し、前記第１および第２の側部前面パネルならびに前記第１および第２の側部裏面パネルを形成する、請求項１２に記載の吸収性物品。
【請求項１４】
前記第１の側部前面パネル、前記第２の側部前面パネル、前記第１の側部裏面パネル、および前記第２の側部前面パネルは、前記裏面シートおよび前記液体浸透性表面シートと別々に形成される、請求項１に記載の吸収性物品。
【請求項１５】
前記吸収性アセンブリは、収集／分散層、およびその収集／分散層の下に配設された吸収性コアを備える、請求項１に記載の吸収性物品。
【手続補正２】
【補正対象書類名】明細書
【補正対象項目名】００１８
【補正方法】変更
【補正の内容】
【００１８】
図１に示すように、前面ウェスト部１０は、前面ウェストゴム生地部１１を含んでもよい。裏面ウェスト部２０は、裏面ウェストゴム生地部２１を含んでもよい。前面および裏面のウェストゴム生地部１１、２１は、吸収性物品１のウェストに弾性をもたらし、吸収性物品１が装着者とぴったりフィットし得る。当技術分野で知られているように、前面および裏面のゴム生地部１１、２１は、前面および裏面ウェスト部１０、２０を横断して延びて存在する１つまたは複数の細長い弾性要素で作られてもよい。本発明の他の例示的な実施形態では、前面または裏面ウェスト部１０、２０だけが、伸縮自在な部分を含んでもよい。同様に、股ゴム生地部３３は、股部３０を通して長手方向に延びて存在してもよく、吸収性物品の股領域にぴったりとしたフィットをもたらしてもよい。
【手続補正３】
【補正対象書類名】明細書
【補正対象項目名】００１９
【補正方法】変更
【補正の内容】
【００１９】
本発明の例示的な実施形態では、第１の締結コンポーネント４０は、第１の側部前面パ
ネル１２の内側表面上に配設される。第２の締結コンポーネント４２は、第２の側部前面パネル１４の内側表面上に配設される。締結された構成の吸収性物品１の略平面図である図４に示すように、第１および第２の締結コンポーネント４０、４２は、第１および第２の側部前面パネル１２、１４を第１および第２の側部裏面パネル２２、２４に締結するために使用されてもよい。この構成では、吸収性物品１は、トレーニングパンツとして機能するために装着者のウェストの周りで引張り上げられてもよい。この点に関し、第１および第２の締結コンポーネント４０、４２は、締結された構成にあるときの吸収性物品１における第１および第２の側部シーム３１、３２を形成する。
【手続補正４】
【補正対象書類名】明細書
【補正対象項目名】００２１
【補正方法】変更
【補正の内容】
【００２１】
図１に示すように、第１および第２の締結コンポーネント４０、４２はそれぞれ、１つまたは複数の有効締結部４１および１つまたは複数の非有効締結部４３を含む。以下でより詳細に述べられるように、非有効締結部４３は、吸収性物品１の外側表面に貼着されることができず、側部シーム３１、３２が効果的に断続的となる。断続的な側部シーム３１、３２は、ユーザが、自分の指を側部シーム３１、３２の一方の非有効部に突っ込み、第１および第２の側部裏面パネル２２、２４から第１および第２の締結コンポーネント４０、４２を引張って、側部シーム３１、３２を外すことを可能にする。各有効締結部４１は、長手方向の長さが、約１０〜５０ｍｍの範囲であってもよく、また、各非有効締結部４３は、長手方向の長さが、約５〜２５ｍｍであってもよい。本発明の好ましい実施形態では、断続的な側部シーム３１、３２は、反復パターンで、約１４ｍｍの長さの有効締結部４１および約６ｍｍの長さの非有効締結部４３を含む。非有効締結部４３の数は約４であってもよい。好ましい例示的な実施形態では、有効締結部４１の面積は、側部シーム３１、３２の総面積の約７０％未満を占め、しっかりした側部シームを提供することと、側部シームの分離を容易にすることとの関係において適切な均衡をもたらす。
【手続補正５】
【補正対象書類名】明細書
【補正対象項目名】００２２
【補正方法】変更
【補正の内容】
【００２２】
第１の締結コンポーネント４０の構造は、ここで述べられる。第２の締結コンポーネント４２が第１の締結コンポーネント４０の構造と同じ構造を有してもよいことが理解されるはずであるため、第２の締結コンポーネント４２の説明はここでは省略される。図５Ａ〜５Ｃは、第１の締結コンポーネント４０の側面図である。第１の締結コンポーネント４０は、後部表面４６および前部表面４８を有するベース層４４を含む。ベース層４４は、たとえば不織布材料層またはポリマー材料層であってもよい。後部表面４６は、たとえば接着剤、超音波シーリング、または熱シーリングによって、第１の側部前面パネル１２の内側表面（または第２の締結コンポーネント４２の場合、第２の側部前面パネル１４の内側表面）に貼着されてもよい。第１の締結コンポーネント４０の前部表面４８は、１つまたは複数の有効締結部４１および１つまたは複数の非有効締結部４３を含む。この点に関し、図５Ａに示すように、フック要素５０は、有効締結部４１の範囲内で、第１の締結コンポーネント４０の前部表面４８から突出してもよい。一方、前部表面４８は、非有効締結部４３内でむきだしのまま（すなわち、フック要素がない状態）にされてもよい。別の
例示的な実施形態では、図５Ｂに示すように、フック要素５０は、第１の締結コンポーネント４０の前部表面４８全体から突出して前部表面４８全体を覆ってもよい。１つまたは複数の阻止層５２は、フック要素５０を覆って断続的に配設されて、非有効締結部４３を形成してもよい。阻止層５２は、たとえば不織布材料またはポリマーフィルム材料で作られてもよく、たとえば接着剤によってフック要素５０に貼着されてもよい。別の例示的な実施形態では、図５Ｃに示すように、フック要素５０は、第１の締結コンポーネント４０の前部表面４８全体から突出して前部表面４８全体を覆ってもよい。フック要素５２は、非有効締結部４３の範囲内で変形し、第１の側部裏面パネル２２に貼着できないようにされる。たとえば、非有効締結部４３の範囲内のフック要素５０は、フックが、開放されるか、またはその他の方法で使用不可能にされる点で損傷があってもよい。
【手続補正６】
【補正対象書類名】図面
【補正対象項目名】図１
【補正方法】変更
【補正の内容】
【図１】
2012516216.tif 000001
【手続補正７】
【補正対象書類名】図面
【補正対象項目名】図２
【補正方法】変更
【補正の内容】
【図２】
2012516216.tif 000002
【手続補正８】
【補正対象書類名】図面
【補正対象項目名】図４
【補正方法】変更
【補正の内容】
【図４】
2012516216.tif 000003